(57)【要約】      （修正有）【課題】幼児など細かな操作が苦手なユーザー向けに、撮像装置に装着できる、操作し易いジャケットを提供する。【解決手段】撮像装置に装着できるジャケットにおいて、シャッターボタンの押し方向と直交する方向に移動するジャケットシャッターボタン１１７を押すとカムが移動しシャッターボタンを操作し、ズームカムの回転軸方向と直交する方向にジャケットズームスイッチ１２０、１２１を押すとズームカムが回転しズームスイッチを操作する。【選択図】図３
2018072399.tif 000002
【特許請求の範囲】
【請求項１】
押し操作スイッチ（１０２）を持った撮像装置に装着できるジャケットにおいて、
前記操作スイッチの押し方向と同方向に移動する操作カム（１１９）と、
前記操作スイッチの押し方向と略直交する方向に移動する押し操作手段（１１７）を備え、
前記押し操作手段（１１７）を押すと操作カムが移動し前記操作スイッチ（１０２）を操作する操作手段を備えたジャケット。
【請求項２】
回転操作スイッチ（１０３）を持った撮像装置に装着できるジャケットにおいて、前記回転操作スイッチ（１０３）と同軸で回転するする操作カム（１２２）と、
前記操作カムの回転軸方向と直交する方向に押し操作できる押し操作手段（１２０、１２１）を備え、
押し操作手段（１２０、１２１）を押すと操作カムが回転し前記回転操作スイッチ（１０３）を操作する、操作手段を備えたジャケット。
【請求項３】
弾性体の本体部（１１４）と剛体でできた操作ユニット部（１１５）で構成され、
操作ユニット部と本体部の接続に変形しやすい形状（１１４‐ａ）を設けたことを特徴とするジャケット。
【請求項４】
前記操作ユニット（１１５）に設けられた前記回転操作カム（１２２）は、回転操作カム（１２２）が、回転操作スイッチ（１０３）の外形に嵌ることを特徴とする請求項２または３に記載のジャケット。
【請求項５】
連続的にズームができる撮像装置で、
ジャケットを付けると段階的にズームに設定されることができる撮像装置。
【発明の詳細な説明】
【技術分野】
【０００１】
本発明はジャケットを装着できる撮像装置及びジャケットに関するものである。
【背景技術】
【０００２】
近年、カメラのデジタル化に伴い、携帯性の良い小型・軽量なカメラが発売されている。一方、幼児など細かな操作が苦手なユーザー向けに、操作部やグリップ部が大きく作られたカメラもある。また、カメラ用防水ジャケットには、水中で使用する際に操作し易いように、ジャケットに大きな操作部やグリップ部を設けることを特徴としているものがある（特許文献１）。
【先行技術文献】
【特許文献】
【０００３】
【特許文献１】特開平６−８２８９７号公報
【発明の概要】
【発明が解決しようとする課題】
【０００４】
しかしながら、複数のユーザー（大人と幼児など）が共有してカメラを使う場合に、大人が使用する一般的なカメラを幼児が使おうとすると問題があった。図８（ａ）の様にカメラを握ると、指が短いために上面００１に設けられたシャッター（１０２）やズーム（１０３）などの操作部まで指が届かない。また、ズームの回転操作は指が不器用な幼児には操作が難しかった。
【０００５】
一方、カメラに防水ジャケットを付けて、操作部やグリップ部を大きくすることが従来より可能であったが、幼児など手が小さなユーザーにとって使いづらかった。
【課題を解決するための手段】
【０００６】
本発明のジャケットは、押し操作スイッチ（１０２）を持った撮像装置に装着できるジャケットにおいて、操作スイッチの押し方向と同方向に移動する操作カム（１１９）と、操作スイッチの押し方向と略直交する方向に移動する押し操作手段（１１７）を備え、押し操作手段（１１７）を押すと操作カムが移動し前記操作スイッチ（１０２）を操作する操作手段を備えたことを特徴としている。
【０００７】
また、本発明の他の特徴とするところは、回転操作スイッチ（１０３）を持った撮像装置に装着できるジャケットにおいて、回転操作スイッチ（１０３）と同軸で回転するする操作カム（１２２）と、操作カムの回転軸方向と直交する方向に押し操作できる押し操作手段（１２０、１２１）を備え、
押し操作手段（１２０、１２１）を押すと操作カムが回転し回転操作スイッチ（１０３）を操作する、操作手段を備えたことを特徴としている。
【０００８】
また、本発明の他の特徴とするところは、弾性体の本体部（１１４）と剛体でできた操作ユニット部（１１５）で構成され、操作ユニット部と本体部の接続に変形しやすい形状（１１４‐ａ）が設けられたことを特徴としている。
【０００９】
また、本発明の他の特徴とするところは、操作ユニット（１１５）に設けられた回転操作カム（１２２）は、回転操作カム（１２２）が、回転操作スイッチ（１０３）の外形に嵌ることを特徴としている。
【００１０】
また、本発明の他の特徴とする撮像装置は、連続的にズームができる撮像装置で、ジャケットを付けると段階的にズームに設定されることを特徴としている。
【発明の効果】
【００１１】
以上説明したように、本発明によれば、デジタルカメラにジャケットを装着することで、カメラ上面にあるシャッターやズームの操作面や操作方法を変える事ができ、同じカメラを使っても、幼児や手の小さなユーザーが使いやすいカメラを提供できることである。
【図面の簡単な説明】
【００１２】
【図１】カメラの斜視図。
【図２】システムブロック図。
【図３】ジャケット装着図。
【図４】シャッターボタン概略図。
【図５】ズームスイッチ概略図。
【図６】ジャケット溝部概略図。
【図７】ズームフローチャート。
【図８】課題（ａ），効果（ｂ）の説明図。
【発明を実施するための形態】
【００１３】
＜第１の実施形態＞
以下、図を参照して本発明を実施するための最良の形態を説明する。
【００１４】
（撮像装置概略）
図１は本発明を適用したデジタルカメラ１００の一例であり、前方向及び後ろ方向からの斜視図である。１０１は撮像レンズ、１０２はシャッター操作部、１０３はズーム操作部、１０４は表示部である。撮影したい方向に撮像レンズ１０１を向けて撮影する。使用者は表示部１０４を見ながら画角を決める。シャッターボタン１０２は上面に付いており、押すことでシャッターを操作できる。右手人差し指で操作できる位置を想定して配置されている。ズームスイッチ１０３は左右に回転させることで操作できる。ズームスイッチ１０３を回転すると撮像範囲を望遠側または広角側に変えることができる。
【００１５】
（撮像装置ブロック図概要）
図２は、本実施形態のデジタルカメラの構成例を示すブロック図である。図２において、撮像レンズ１０１はズームレンズ、フォーカスレンズを含むレンズ群である。撮像部１０５は光学像を電気信号に変換するＣＣＤやＣＭＯＳ素子等で構成される撮像素子である。
【００１６】
画像処理部１０６は、撮像部１０５での画像に関わる処理を施す。メモリ１０８は、撮像部１０５によって得られた画像データや、表示部１０４に表示するための画像データを格納する。メモリ１０８は、所定枚数の静止画像や所定時間の動画像および音声を格納するのに十分な記憶容量を備えている。表示部１０４は、ＬＣＤ等の表示部上に表示を行う。撮影時は電子ビューファインダとして機能し、スルー画像表示を行える。
【００１７】
ズームスイッチ１０３、シャッターボタン１０２、電源スイッチ１１０はシステム制御部１０７に各種の動作指示を入力するための操作手段である。ズームスイッチ１０３からの入力を受けてシステム制御部１０７から指示を出して撮像レンズ１０１を動かして画角が変更される。シャッターボタン１０２からの入力によりシステム制御部１０７が撮像部１０５で得られた画像をメモリ１０８に格納する。電源部１１１は、電池、電池検出回路、ＤＣ−ＤＣコンバータ、通電するブロックを切り替えるスイッチ回路等により構成され、電池の装着の有無、電池の種類、電池残量の検出を行う。
【００１８】
また、電源部１１１は、その検出結果及びシステム制御部１０７の指示に基づいてＤＣ−ＤＣコンバータを制御し、必要な電圧を必要な期間、各部へ供給する。ジャケットを装着した際にジャケット検出部１１２から指示を受け、システム制御部１０７によってジャケット装着モードで制御する。
【００１９】
（ジャケット概略）
図３はデジタルカメラにジャケットを装着した概略図である。ジャケットはシリコンゴムなどの弾性部材でできたジャケット本体部１１４とポリカーボネートなどの剛体部材でできたジャケット操作部１１５でできている。デジタルカメラの表示部１０４前には表示部開口１１６があり、外側より表示が見られるようになっている。ジャケット本体部１１４のジャケット操作部１１５の外周部には溝１１４−ａが設けられている。後で説明するデジタルカメラの操作部の位置出しのために、溝を設けることで変形しやすくなりジャケット操作部１１５が独立して位置が決まるようになっている。
【００２０】
ジャケット操作部１１５にはジャケットシャッターボタン１１７、ジャケットズームスイッチ（テレ）１２０、ジャケットズームスイッチ（ワイド）１２１が設けられている。いづれも、カメラ側面や背面よりプッシュ操作できる操作部である。
【００２１】
（操作部構造）
図４、図５を用いて、ジャケット操作部１１５の構造について説明する。図４はシャッターボタン１０２を操作する構造の図で、わかりやすくするためにジャケット本体部１１４や後に説明するズームスイッチの操作部等を省略したものである。
【００２２】
ジャケット操作部１１５に付いているジャケットシャッターボタン１１７は本体に対してジャケットの側面に露出しており、矢印Ａ方向に押すことで操作できる。ジャケットシャッターボタン１１７を押すと、ジャケットシャッターボタンの先端部１１７−ａがシャッターカム１１９の斜面を押し、シャッターカムは矢印Ｂ方向に動き、本体のシャッターボタン１０２を押すことができる。これにより、図８（ｂ）のようにジャケットを装着したカメラを幼児がもった時には、シャッターボタンの操作位置がカメラ側面になりグリップ部から近くなるため、幼児や手の小さい人でも操作しやすくなる。
【００２３】
図５はズームスイッチ１０３の操作する構造の図で、わかりやすくするためにジャケット本体部１１４や後に説明するジャケットシャッターボタン１１７の操作部等を省略したものである。
【００２４】
ジャケット操作部１１５に付いている二つのズームスイッチは、それぞれ、ジャケットズームスイッチ（テレ）１２０、ジャケットズームスイッチ（ワイド）１２１である。ジャケットの背面に露出しており、矢印Ｃ方向に押すことで操作できる。ズームカム１２２は回転移動する部品であり、回転中心は本体のズームスイッチ１０３の回転中心と同軸である。ジャケット１１３を装着すると、ズームカム１２２のリブ部１２２−ａが、本体のズームスイッチ１０３の外形と指掛け形状１２３形状に嵌り込む。
【００２５】
ジャケットズームスイッチ（テレ）１２０、ジャケットズームスイッチ（ワイド）１２１のいづれかを押して操作すると、ボス部１２２−ｂが押されてズームカム１２２が回転することでズーム操作ができる。これにより、図８（ｂ）のように、ジャケットを装着したカメラを幼児がもった時には、ズームの操作位置がカメラ背面になり、グリップ部から近くなるため、幼児や手の小さい人でも操作しやすくなる。また、プッシュ操作ができるため、指が不器用な幼児でも操作しやすい。
【００２６】
（操作部と本体部の接続形状）
図６を使って、操作部と本体部の接続形状について説明する。ジャケット操作部１１５の外周に接続されているジャケット本体部１１４にはジャケット操作部１１５の外周に沿った形状で、溝１１４−ａが設けられている。溝１１４−ａは他の部分より薄肉で変形しやすい。これにより、カメラの操作部とジャケットの操作部の位置合わせが容易になっている。
【００２７】
ジャケット本体部１１４がシリコンゴムのような弾性部材で作られたものは、性質上、装着時にカメラの操作部とジャケットの操作位置がずれて、ガタが生じたり、操作できないなどの問題がある。本実施例では上述したように、ジャケット操作部１１５の操作カムのリブ部１２２−ａにズームスイッチの指掛け形状１２３が嵌り込み、溝が変形することでジャケット操作部１１５がズームスイッチに合わせた位置まで寄せられて位置が決まる構成である。ジャケット操作部１１５の位置がデジタルカメラの操作部に一致するため、操作性のよい操作部となる。また、図示しないが、溝部の代わりに間欠穴などを設けて変形し易いようにしてもよい。
【００２８】
（ズーム動作のステップ）
以上、説明してきたデジタルカメラのジャケット操作部の、ズーム動作の処理ステップについて図７を用いて説明する。幼児が連続ズームのカメラを操作した際に、長押し操作が難しく、任意の画角でズームを止められないといった問題があった。その改善のためのズーム動作処理の変更について図７のステップ図を用いて説明する。
【００２９】
電源スイッチを操作するとシステム制御部が電源ＯＮの処理（Ｓ１０１）を行う。ジャケットが装着されていれば、ジャケット検出部で検出処理（Ｓ１０２）をおこない、ジャケット検出がＯＮならばワンプッシュズームモード（Ｓ１０３）、ジャケット検出がＯＦＦなら連続ズームモード（Ｓ１０４）が設定される。ワンプッシュズームモードでズーム操作すると、スイッチが押されるたびに、画角がステップ拡大又は縮小する（Ｓ１０６）。連続ズームモードで操作すると、スイッチが押される長さによって、画角が連続的に拡大又は縮小する（Ｓ１０７）。ズーム操作がない場合にはステップを繰り返し、ジャケットの装着検出状況に応じてズームモードを更新する。
【００３０】
以上により、ジャケット装着時はワンプッシュズームで簡単な操作で任意の画角に変えることができ、ジャケット未装着時には連続ズームで細かな画角変更が可能となる。
【００３１】
このように、ジャケット装着時に連続ズームをワンプッシュズームに変えることで、簡単にズーム操作が行えるようになり、幼児にも操作しやすいズームを提供できる。
【００３２】
（まとめ）
以上、本発明をその好適な実施形態に基づいて詳述してきたが、本実施例の効果は、デジタルカメラに本実施例のジャケットを装着することで、シャッターやズームの操作面や操作方法を変える事ができ、同じカメラでも手の小さなユーザーが使いやすいカメラを提供できることである。
【符号の説明】
【００３３】
１０１  撮像レンズ
１０２  シャッターボタン
１０３  ズームスイッチ
１０４  表示部
１０５  撮像部
１０６  画像処理部
１０７  システム制御部
１０８  メモリ
１１０  電源スイッチ
１１１  電源部
１１２  ジャケット検出部
１１３  ジャケット
１１４  ジャケット本体部
１１５  ジャケット操作部
１１６  表示部開口
１１７  ジャケットシャッターボタン
１１８  シャッターバネ
１１９  シャッターカム
１２０  ジャケットズームスイッチ（テレ）
１２１  ジャケットズームスイッチ（ワイド）
１２２  ズームカム
１２２−ａ  リブ部
１２３  指掛け形状
１２２−ｂ  ボス部
１１４−ａ  溝
【図１】
2018072399.tif 000003
【図２】
2018072399.tif 000004
【図３】
2018072399.tif 000005
【図４】
2018072399.tif 000006
【図５】
2018072399.tif 000007
【図６】
2018072399.tif 000008
【図７】
2018072399.tif 000009
【図８】
2018072399.tif 000010